(57)【特許請求の範囲】
【請求項１】
側壁に多数の空気孔（１）をあけたポット（２）を風胴（３）内に設け、前記ポット（２）の内部上方に拡炎板（４）を設け、前記ポット（２）内の前記拡炎板（４）の下方に噴霧ノズル（５）をのぞませ、
前記噴霧ノズル（５）に燃料を加圧して送る燃料ポンプ（６）と、噴霧ノズル（５）の前方に先端が位置するように配置した点火電極（７）と、前記ポット（２）に燃焼用空気を供給する燃焼用送風機（８）とを設け、
前記燃焼用送風機（８）によって前記ポット（２）内に燃焼用空気を供給すると共に、前記燃料ポンプ（６）で加圧されて前記噴霧ノズル（５）からポット（２）内に霧状燃料を供給して、前記点火電極（７）の先端に発生する放電火花によって着火燃焼を開始する圧力噴霧ポットバーナにおいて、
前記ポット（２）内の炎の有無を検知する炎検知手段（９）と、
前記炎検知手段（９）の炎検知信号によって作動開始するタイマ手段（１０）とを設け、
点火操作によって前記燃料ポンプ（６）と前記燃焼用送風機（８）とはあらかじめ設定された流量と回転数で駆動し、
前記噴霧ノズル（５）からポット（２）内に供給される霧状燃料が前記点火電極（７）の先端に発生する放電火花によって着火燃焼を開始し、
前記炎検知手段（９）から炎検知信号が出力されると、前記タイマ手段（１０）がカウントを開始し、前記燃料ポンプ（６）の流量と前記燃焼用送風機（８）の回転数を低下して所定の流量と回転数に変更し、
前記ポット（２）内で燃焼を開始した後も前記タイマ手段（１０）が所定時間をカウントするまで前記点火電極（７）の放電を継続することを特徴とする圧力噴霧ポットバーナの点火制御装置。
【請求項２】
前記炎検知手段（９）が炎検知信号を出力後から前記タイマ手段（１０）が所定時間をカウントするまでは、燃料流量に対して燃焼用空気量が少なくなるように前記燃料ポンプ（６）の流量と燃焼用送風機（８）の回転数が設定されていることを特徴とする請求項１に記載の圧力噴霧ポットバーナの点火制御装置。
【請求項３】
前記点火電極（７）の放電が停止する一定時間前に前記燃焼用送風機（８）を所定の回転数に上昇して、燃料流量に対して燃焼用空気量が多くなるように設定され、
前記点火電極（７）の放電が停止してから一定時間が経過するまで維持することを特徴とする請求項１または２に記載の圧力噴霧ポットバーナの点火制御装置。
【請求項４】
前記点火電極（７）の放電が停止してから一定時間経過後に前記燃焼用送風機（８）の回転数を低下して所定の回転数に変更し、燃料流量に対して燃焼用空気量が多くなるように設定されていると共に、
前記燃焼用送風機（８）は設定時間毎に回転数を低下することを特徴とする請求項３に記載の圧力噴霧ポットバーナの点火制御装置。
【発明の詳細な説明】
【技術分野】
【０００１】
この発明は圧力噴霧ポットバーナの点火時の不完全燃焼ガスの発生を抑えた点火制御装置に関するものである。
【背景技術】
【０００２】
圧力噴霧ポットバーナは、燃料ポンプで加圧されて噴霧ノズルから霧状燃料がポット内に供給され、点火電極の放電火花によって霧状燃料に着火し、燃焼ファンによって供給される空気と混合して燃焼を開始する。噴霧ノズルから供給された霧状燃料はポット内の下部空間で可燃ガス化し、拡炎板とポットの側壁との間を上方に抜けるときに空気孔から供給される空気と混合して燃焼する。
【０００３】
圧力噴霧ポットバーナは、着火する前に予めポット内を予熱しておく必要がなく、着火時間を短くすることはできるが、着火直後に霧状態で着火した炎はまだ低温度のポット側壁や拡炎板などによって冷やされて、一部は燃焼の継続を不可能とし、また、ポット壁面や拡炎板などに触れた霧状燃料はドレンして燃焼できずポット底面に溜まるため、着火後から数分間が経過してポット内部が温められるまでは安定した燃焼が期待できず、この間は不完全燃焼を起こしやすく、不完全燃焼ガスを発生させている。
【０００４】
このため、着火後から数分間はポットを加熱するための予備燃焼時間を設けているが、点火直後のポットの温度が低いときは、ポット内に供給された燃料が可燃ガス化して燃焼するまでに時間がかかり、定常燃焼時よりも高い位置に炎が形成され、ポットの加熱時間が長くなる。ポットの加熱時間を短くするためには、ポット内の炎をできるだけ低い位置に形成する必要があり、点火時の燃料ポンプの流量を下げることで、着火後の炎の位置を定常燃焼時の炎の位置まで下げ、予備燃焼時間の短縮を図ったものがある。（特許文献１参照）。
【先行技術文献】
【特許文献】
【０００５】
【特許文献１】特開昭５７−２９１０号公報
【発明の概要】
【発明が解決しようとする課題】
【０００６】
ポット内の炎は拡炎板とポット側壁との間に形成されるため、ポット上部に比べて拡炎板の下部空間やポット底面の加熱時間は長くなり、ポット全体が加熱されるまでは不完全燃焼ガスを発生させることになり、特許文献１のように着火後の炎の位置を定常燃焼時の炎の位置に近づけても、拡炎板の下部空間やポット底面の加熱時間を短縮することができなければ、十分な効果が期待できないものであった。
【０００７】
また、圧力噴霧ポットバーナは発熱量が大きいため、ポットが加熱されるまでの間に暖房空間に放出される不完全燃焼ガスの量が多くなり、暖房空間の環境を悪化させる恐れがある。ポットの温度が低いときに不完全燃焼ガスの発生を完全に防ぐことは難しいため、燃焼量を下げて燃焼ガスの発生量を減らすことができれば、暖房空間へ放出される不完全燃焼ガスも少なくできる可能性がある。
【０００８】
しかし、ポットの温度が低いときに燃料ポンプの流量を少なくすると、霧状燃料の粒子は大きいものが多くなり不安定な燃焼となり、燃焼の悪化や着火ミスの原因となるため、点火時の燃焼量を大きく低下させることは難しいものであった。
【課題を解決するための手段】
【０００９】
この発明は上記の課題を解決するもので、側壁に多数の空気孔１をあけたポット２を風胴３内に設け、前記ポット２の内部上方に拡炎板４を設け、前記ポット２内の前記拡炎板４の下方に噴霧ノズル５をのぞませ、前記噴霧ノズル５に燃料を加圧して送る燃料ポンプ６と、噴霧ノズル５の前方に先端が位置するように配置した点火電極７と、前記ポット２に燃焼用空気を供給する燃焼用送風機８とを設け、前記燃焼用送風機８によって前記ポット２内に燃焼用空気を供給すると共に、前記燃料ポンプ６で加圧されて前記噴霧ノズル５からポット２内に霧状燃料を供給して、前記点火電極７の先端に発生する放電火花によって着火燃焼を開始する圧力噴霧ポットバーナにおいて、前記ポット２内の炎の有無を検知する炎検知手段９と、前記炎検知手段９の炎検知信号によって作動開始するタイマ手段１０とを設け、点火操作によって前記燃料ポンプ６と前記燃焼用送風機８とはあらかじめ設定された流量と回転数で駆動し、前記噴霧ノズル５からポット２内に供給される霧状燃料が前記点火電極７の先端に発生する放電火花によって着火燃焼を開始し、前記炎検知手段９から炎検知信号が出力されると、前記タイマ手段１０がカウントを開始し、前記燃料ポンプ６の流量と前記燃焼用送風機８の回転数を低下して所定の流量と回転数に変更し、前記ポット２内で燃焼を開始した後も前記タイマ手段１０が所定時間をカウントするまで前記点火電極７の放電を継続することを特徴とする圧力噴霧ポットバーナの点火制御装置である。
【００１０】
また、前記炎検知手段９が炎検知信号を出力後から前記タイマ手段１０が所定時間をカウントするまでは、燃料流量に対して燃焼用空気量が少なくなるように前記燃料ポンプ６の流量と燃焼用送風機８の回転数が設定されていることにより、ポット２内の拡炎板４の下部空間に炎を形成することができ、ポット２の底面と拡炎板４を効率良く加熱することができる。
【００１１】
また、前記点火電極７が停止する一定時間前に前記燃焼用送風機８を所定の回転数に上昇して、燃料流量に対して燃焼用空気量が多くなるように設定され、前記点火電極７の放電が停止してから一定時間が経過するまで維持することにより、放電が停止してポット２内の下部空間の炎が消えたときに、ポット２の上部の立炎を防止するものである。
【００１２】
前記点火電極７が停止してから一定時間経過後に前記燃焼用送風機８の回転数を低下して所定の回転数に変更し、燃料流量に対して燃焼用空気量が多くなるように設定されていると共に、前記燃焼用送風機８は設定時間毎に回転数を低下していくことにより、ポット２の温度上昇による燃料の変化に対応して安定した燃焼を維持できるものである。
【発明の効果】
【００１３】
この発明は、点火操作によって点火電極７の先端に放電火花を発生させると共に燃焼用送風機８が駆動して燃焼用空気がポット２内に供給され、燃料ポンプ６が駆動して噴霧ノズル５からポット２内に霧状燃料が供給されると、点火電極７の先端に発生する放電火花によって霧状燃料に着火して燃焼を開始するものである。
【００１４】
そして、ポット２内に炎が形成され炎検知手段９が炎検知の信号を出力すると、燃料ポンプ６の流量と燃焼用送風機８の回転数を低下して所定の流量と回転数に変更すると共に、タイマ手段１０のカウントを開始し、タイマ手段１０が所定時間をカウントするまで点火電極７の放電を継続するものである。
【００１５】
ポット２内で燃焼を開始した後も点火電極７の放電を継続することによって、噴霧ノズル５から供給される霧状燃料は放電火花で着火してからポット２内に送られるから、噴霧ノズル５から供給される燃料に粒径の大きな燃料が混じっても放電火花で着火して燃焼することができるものとなり、点火直後のポット２の温度が低いときに燃料ポンプ６の流量を低下しても、燃焼を継続することができるものとなった。
【００１６】
この構成によって、ポット２内の拡炎板４の下部空間に炎が形成されるので、ポット２の底部と拡炎板４を加熱することができ、ポット２全体が加熱されて短時間で燃焼が安定し、不完全燃焼ガスの発生を抑えることができるものとなった。また、燃料ポンプ６の流量と燃焼用送風機８の回転数を低下して燃焼量を下げるので、ポット２の温度が上昇するまでの間に暖房空間に放出される不完全燃焼ガスの量を大幅に減らすことができ、暖房空間の環境を悪化させることがなくなった。
【００１７】
また、炎検知手段９が炎検知信号を出力してからタイマ手段１０が所定時間カウントするまでは、燃料ポンプ６の流量に対して燃焼用送風機８の回転数を低く設定しており、点火直後のポット２の温度が低いときは、燃料ポンプ６の流量よりもポット２内で燃焼できる燃料が少なくなるため、燃焼用空気を少なくすることで燃焼バランスを保ち、不完全燃焼ガスの発生を防ぐことができる。
【００１８】
また、タイマ手段１０が所定時間カウントする一定時間前になると燃焼用送風機８の回転数を上昇し、燃焼用空気を多くしてから点火電極７の放電が停止しており、点火電極７の放電が停止してポット２の下部空間の炎が消えると、噴霧ノズル５から供給される霧状燃料がそのままポット２内に届いてポット２内の燃料が急に増加するため、燃焼用空気を多くすることによって空気不足による立炎を防止することができ、不完全燃焼ガスを発生させることなく燃焼が継続できるものである。
【００１９】
更に、点火電極７の放電が停止して一定時間後に燃料ポンプ６の流量と燃焼用送風機８の回転数を低下して所定の燃料流量と回転数に変更し、所定時間が経過するまでは燃料流量に対して燃焼用空気が多くなるように設定している。ポット２が加熱されるとポット２の底面に溜まっていた燃料が気化して噴霧ノズル５から供給された燃料と一緒にポット２の上部に送られるため、燃焼用空気を多くすることで空気不足による立炎を防止することができる。また、ポット２の底面の燃料は徐々に減少していくから、設定時間毎に燃焼用送風機８の回転数を低下して、燃料の減少にあわせて空気量を減らすことで、安定した燃焼が維持でき、不完全燃焼ガスを発生させることなく、スムーズに定常燃焼に移行することができるものとなった。
【図面の簡単な説明】
【００２０】
【図１】この発明の実施例を示す圧力噴霧ポットバーナの構成を示すブロック図である。
【図２】この発明の実施例を示す圧力噴霧ポットバーナを備えた暖房機の断面図である。
【図３】この発明の実施例を示す点火動作を説明するタイムチャートである。
【発明を実施するための形態】
【００２１】
図に示す実施例によってこの発明を説明すると、１１は圧力噴霧ポットバーナを備えた暖房機の枠体、２は枠体１１内に配置した有底筒形のポット、１２はポット２の側壁に設けた燃料流入口、１３は枠体１１の下部に配置した燃料タンク、１４は燃料タンク１３とポット２とを連結する燃料パイプ、６は燃料パイプ１４の途中に取り付けた燃料ポンプ、５は燃料パイプ１４の先端に取り付けた噴霧ノズルであり、噴霧ノズル５は燃料流入口１２にのぞませて取り付けられており、燃料ポンプ６を運転すると燃料タンク１３の燃料が噴霧ノズル５から霧状燃料となって燃料流入口１２からポット２内に供給される。
【００２２】
３はポット２の外周に設けた風胴、８は風胴３に燃焼用空気を供給する燃焼用送風機、１は風胴３からポット２内に燃焼用空気が供給できるようにポット２の側壁に設けた多数の空気孔であり、燃焼用送風機８によって圧送された燃焼用空気は空気孔１の位置と大きさにより制御されてポット２内に供給される。
【００２３】
７は先端が噴霧ノズル５と燃料流入口１２との間に配置された点火電極、１５は点火電極７に高電圧を印加する点火変圧器であり、点火変圧器１５に通電すると点火電極７に高電圧を供給して点火電極７の先端に放電火花を発生させる。
【００２４】
１６は暖房機の運転・停止を指示する運転スイッチ、１７は運転スイッチ１６の運転・停止信号に基づいて暖房機の運転を制御する燃焼制御装置であり、運転スイッチ１６から運転開始信号が出力されると燃焼制御装置１７は点火変圧器１５と燃焼用送風機８に通電し、ポット２内に燃焼用空気が供給されると共に点火電極７の先端に放電火花が発生する。その後、燃料ポンプ６に通電して噴霧ノズル５から霧状燃料が供給されると、点火電極７の放電火花によって着火し、空気孔１から空気の供給を受けてポット２内で燃焼する。
【００２５】
４はポット２内に配置した拡炎板、１８はポット２の上部に連続して取り付けると共に枠体１１から上方に伸びるように配置した燃焼室であり、ポット２内で燃焼を開始した燃料は拡炎板４の働きで空気孔１から供給される空気との間で混合ガスを作り、ポット２内とポット２に続く燃焼室１８内で燃焼が行なわれる。
【００２６】
９は先端をポット２内に伸ばして炎に触れる位置に取り付けた炎検知手段であり、燃焼制御装置１７は炎検知手段９からの炎有・無の信号に基づいて動作する。点火電極７の放電火花によって着火してポット２内で燃焼を開始し、拡炎板４の側方のポット２の側壁との間に炎が形成されると、炎検知手段９から炎有の信号が燃焼制御装置１７に出力される。ポット２内の拡炎板４の側方で燃焼を開始すると、点火変圧器１５の通電を止めてもそのまま燃焼を継続することができる。
【００２７】
１９は枠体１の上部に取り付けられて燃焼室１８を囲繞するように配置したガード、２０はガード１９の上端に取り付けた天板であり、ガード１９と天板２０によって燃焼室１８を覆っている。２１は燃焼室１８の上面と天板２０との間に配置した室内空気の対流ファンであり、対流ファン２１が空気を燃焼室１８の上面に吹付けると全周方向に向いた空気流が形成でき、燃焼室１８から排出される燃焼ガスが対流ファン２１の空気流によって上昇を抑えられて温風となって全周方向に吹出すものである。
【００２８】
２２は操作部に設けたスイッチで構成する火力設定手段であり、燃焼量を最小燃焼と最大燃焼とその間の複数の燃焼量からなる燃料流量を定め、その燃料流量に対応する燃焼用送風機８の回転数を設定することで、複数の燃焼量調節段階Ｎを決定しており、火力設定手段２２の操作によって取扱者が希望する燃焼量調節段階Ｎを選択できるようになっている。実施例では最小燃焼Ｎ１から最大燃焼Ｎ１０までの１０段階に設定している。
【００２９】
圧力噴霧ポットバーナは、ポット２に燃料を供給するとすぐに着火できるものの、点火直後はポット２の側壁や拡炎板４の温度が低いため、ポット２内に送られた霧状燃料が温度の低いポット２側壁や拡炎板４に触れるとドレンして燃焼できず、不完全燃焼を起こしやすいものであり、不完全燃焼ガスが暖房空間に放出される。また、圧力噴霧ポットバーナは発熱量が大きいものが多く、排出される燃焼ガスの量が多いため、着火からポット２の側壁や拡炎板４の温度が上昇するまでに暖房空間に放出される不完全燃焼ガスの量も多くなり、暖房空間の環境を悪化させる恐れがある。着火後のポット２側壁や拡炎板４の温度が低いときは不完全燃焼ガスの発生を防ぐことが難しいため、不完全燃焼ガスの発生をできるだけ少なくするための対策が必要となる。
【００３０】
この発明は、点火時の不完全燃焼ガスの発生を大幅に減らすことのできる点火制御装置を実現したものであり、運転スイッチ１６の操作によって運転開始信号が出力されると、燃焼制御装置１７は着火に必要な燃焼量調節段階Ｎ６を選択し、点火変圧器１５に通電して点火電極７の放電を開始すると共に燃焼用送風機８が燃焼量調節段階Ｎ６に対応する回転数で駆動する。そして、燃料ポンプ６が燃焼量調節段階Ｎ６に対応する流量で駆動すると、点火電極７の放電火花によって噴霧ノズル５から供給される霧状燃料に着火し、空気孔１から空気の供給を受けてポット２内で燃焼を開始する。
【００３１】
ポット２内で燃焼を開始して拡炎板４の側方のポット２の側壁との間に炎が形成され、炎検知手段９から炎有の信号が出力されると、燃焼制御装置１７は燃料ポンプ６の流量と燃焼用送風機８の回転数を変更する。実施例では、燃焼制御装置１７は燃焼量調節段階をＮ６からＮ２に変更しており、燃料ポンプ６と燃焼用送風機８は燃焼量調節段階Ｎ２に対応する流量と回転数に変更される。
【００３２】
１０は炎検知手段９の炎有の信号によって作動するタイマ手段であり、燃焼制御装置１７はタイマ手段１０が所定時間Ｔをカウントするまで点火変圧器１５の通電を継続するものであり、ポット２内で燃焼を開始した後も点火電極７の放電が継続しており、噴霧ノズル５から供給される霧状燃料は点火電極７の放電火花で着火してからポット２内に送られるので、ポット２内の拡炎板４の下部空間にも炎が形成されるものとなった。この構成によって、ポット２内の拡炎板４の側方のポット２側壁との間に形成される炎によってポット２の上部を加熱し、拡炎板４の下部空間に形成される炎によってポット２の底面と拡炎板４を加熱することができる。
【００３３】
燃料ポンプ６が燃焼量調節段階Ｎ２に対応する流量に設定されると流量が少なくなるため、着火後のポット２の温度が低いときは噴霧ノズル５から供給される霧状燃料の粒径が大きくなるが、噴霧ノズル５から供給される燃料は点火電極７の放電火花によって着火するので、霧状燃料に混じる粒径の大きな燃料も着火して燃焼することができる。このため、燃料ポンプ６を燃焼量調節段階Ｎ２に対応する流量に設定しても燃焼の悪化や着火ミスを発生させることはなく、ポット２の拡炎板４の側方のポット２側壁との間に形成される炎の位置を下げることができ、タイマ手段１０が作動してから所定時間Ｔが経過するまでの間にポット２の全体を効率良く加熱することができるものとなった。
【００３４】
また、着火後からポット２の温度が上昇するまでの間の燃焼量を下げることで、燃焼によって発生する燃焼ガスの量を少なくすることができ、不完全燃焼ガスを発生させても、ポット２の温度が上昇して燃焼が安定するまでの間に暖房空間に放出される不完全燃焼ガスの量を大幅に減らすことができるものとなった。
【００３５】
また、噴霧ノズル５から供給される霧状燃料のうち点火電極７の放電火花で着火できなかった燃料はそのままポット２内に送られ、ポット２内で可燃ガス化して燃焼するが、点火後のポット２の温度が低いときは、ポット２内に送られた燃料の一部が燃焼できずにポット２の底面に溜まることがあり、燃料ポンプ６の流量よりもポット２内で燃焼できる燃料が少なくなる。
【００３６】
この発明の他の実施例では、タイマ手段１０が所定時間カウントして点火変圧器１５の通電が停止するまでは、燃焼用送風機８の回転数を燃料ポンプ６の流量に対応する回転数よりも低く設定している。実施例では燃料ポンプ６を燃焼量調節段階Ｎ２に対応する流量に設定し、燃焼用送風機８を燃焼量調節段階Ｎ１に対応する回転数に設定しており、着火後からポット２の温度が上昇するまでは、ポット２内に供給される燃料よりも燃焼できる燃料が少なくなるため、燃焼用空気量とバランスして安定した燃焼が可能となり、不完全燃焼ガスの発生を抑えることができる。
【００３７】
また、燃焼制御装置１７にはタイマ手段１０が作動してから点火変圧器１５の通電を停止する所定時間Ｔよりも短い所定時間Ｔ１を設定し、タイマ手段１０が作動してから短い所定時間Ｔ１が経過したときに燃焼用送風機８を燃焼量調節段階Ｎ１からＮ５に対応する回転数に変更して、所定時間Ｔより長い所定時間Ｔ２が経過するまで維持するように設定している。
【００３８】
点火電極５の放電火花が消えてポット２の下部空間の炎が消えると、点火電極５の放電火花によって燃焼していた燃料がそのままポット２内に送られ、ポット２内に供給される燃料が急に増加するため、ポット２内の燃料と空気孔１から供給される空気とのバランスが崩れ、空気不足となるため立炎し、煤を発生させたり、炎検知手段９が異常信号を出力してしまう可能性がある。
【００３９】
この発明では、点火変圧器１５の通電が停止する前後の一定時間は燃焼用送風機８の回転数を上昇させるので、ポット２内に供給される空気量を増加してから点火変圧器１５の通電が停止するものとなり、ポット２の下部空間の炎が消えてポット２内の燃料が急に増加しても空気不足とならず、所定時間Ｔ２が経過するまで燃焼用送風機８の回転数を維持することで燃焼が安定するので、立炎を防止することができ、煤や不完全燃焼ガスの発生を抑え、ポット２内の炎の移動がスムーズに行われるものとなった。
【００４０】
また、この発明では、所定時間Ｔが経過して点火変圧器１５の通電が停止した後は、燃焼用送風機８の回転数が設定時間毎に低下するようにして、燃料ポンプ６の流量と燃焼用送風機８の回転数との差が段階的に少なくなるように設定している。実施例では点火変圧器１５の通電が停止してから設定時間Ｔ２が経過すると燃料ポンプ６を燃焼量調節段階Ｎ１に対応する流量に変更すると共に、燃焼用送風機８を燃焼量調節段階Ｎ４に対応する回転数に変更し、その後は設定時間Ｔ３が経過すると燃焼用送風機８を燃焼量調節段階Ｎ３に対応する回転数に変更し、更に設定時間Ｔ４が経過すると点火制御を完了する。燃料ポンプ６の流量は任意でよいが、燃料の気化による増加分を考慮して最小燃焼Ｎ１に設定しており、できるだけ燃焼量を下げることで不完全燃焼ガスの発生を抑えることができる。
【００４１】
ポット２の温度が上昇すると、点火直後にドレンしてポット２底部などに溜まっていた燃料が気化し、噴霧ノズル５から供給される燃料と一緒にポット２の上部に送られるため、燃料ポンプ６の流量よりも多くの燃料が燃焼することになるが、この発明では、ポット２内に供給される空気量を多くすることで、ポット２内の燃料と空気量とがバランスし、空気不足による立炎や不完全燃焼ガスの発生が防止できる。
【００４２】
また、ポット２の温度上昇によってポット２底部の燃料が燃焼して徐々に減少し、やがて噴霧ノズル５から供給される燃料だけが燃焼するので、燃焼用送風機８の回転数を設定時間毎に低下して、燃料ポンプ６の流量と燃焼用送風機８の回転数との差を段階的に少なくすることで、ポット２内の燃料と空気量とのバランスを保ち、安定した燃焼を維持することができ、不完全燃焼ガスの発生を防止できるものである。
【００４３】
そして、設定時間Ｔ４が経過するときにはポット２の温度が上昇しており、ポット２底部などに溜まっていた燃料が全て燃焼して、燃料ポンプ６によって噴霧ノズル５から供給される燃料のみとなるから、燃焼制御装置１７は点火制御を完了し、火力設定手段２２により設定された燃焼量に変更して、定常燃焼を開始することができる。
【符号の説明】
【００４４】
１    空気孔
２    ポット
３    風胴
４    拡炎板
５    噴霧ノズル
６    燃料ポンプ
７    点火電極
８    燃焼用送風機
９    炎検知手段
１０    タイマ手段
【図１】
0006497098.tif 000002
【図２】
0006497098.tif 000003
【図３】
0006497098.tif 000004